(57)【要約】【課題】プログレッシブダウンロード方式で配信される動画データ等のコンテンツデータの再生時の消費電力量を正しく算定する「再生装置及び消費電力量算定方法」を提供する。【解決手段】  動画データの再生が開始されたならば、時間Ｔ１経過後にダウンロードを時間Ｔ２の間停止し、ダウンロードを再開する。時間Ｔ１の消費電力量Ｐ１と時間Ｔ２の消費電力量Ｐ２とを測定し、Ｐ２／Ｔ２をΔＰ２とし、Ｐ１-（ΔＰ２×Ｔ１）をＰ３として算定し、時間Ｔ１の期間にダウンロードしたデータ量の全体に対する割合を（ｖ２-ｖ１）％として、Ｐ３／（ｖ２-ｖ１）をΔＰ３をして算定し、ΔＰ２に動画データの総再生時間Ｔを乗じた電力量と、ΔＰ３に総データ量の％の数値１００を乗じた電力量との和（ΔＰ２×Ｔ）＋（ΔＰ３×１００）を、動画データの再生開始から動画データの全体の再生完了までの総消費電力量として算定する。【選択図】図３
2020077900.tif 000002
【特許請求の範囲】
【請求項１】
バッテリを電源として稼働し、プログレッシブダウンロード方式で配信されるコンテンツデータの再生を行う再生装置であって、
記憶装置と、
前記バッテリの消費電力量を測定する測定手段と、
配信されたコンテンツデータを前記記憶装置にダウンロードしながら、ダウンロードしたコンテンツデータの再生を行う再生手段と、
コンテンツデータの再生時の前記バッテリの総消費電力量を算定する消費電力量算定手段とを有し、
前記消費電力量算出手段は、
前記再生手段のコンテンツデータの再生の開始後の第１の期間が経過したならば、その後の第２の期間、前記再生手段のコンテンツデータのダウンロードを停止し、第２の期間の経過後に前記ダウンロードを再開させると共に、
前記測定手段が測定した前記バッテリの消費電力量に基づいて、前記バッテリの前記第１の期間の消費電力量である第１消費電力量と第２の期間の消費電力量である第２消費電力量を算定し、
前記第２消費電力量を前記第２の期間の時間長で除した電力量を、前記再生手段が前記コンテンツデータのダウンロードを行わずコンテンツデータの再生を行っているときの単位期間あたりのバッテリの消費電力量である第１単位消費電力量とし、
前記第１単位消費電力量に前記第１の期間の時間長を乗じた値を、前記第１消費電力量から減じた電力量を、前記第１の期間にダウンロードしたコンテンツデータのデータ量で除した電力量を、前記コンテンツデータを単位データ量ダウンロードするのに要するバッテリの消費電力量である第２単位消費電力量として、
前記コンテンツデータの再生時の前記バッテリの総消費電力量の算定を行うことを特徴とする再生装置。
【請求項２】
請求項１記載の再生装置であって、
前記消費電力量算出手段は、前記第１単位消費電力量にコンテンツデータの総再生時間を乗じた電力量と、前記第２単位消費電力量にコンテンツデータの総データ量を乗じた電力量との和として得られる電力量を、前記コンテンツデータのダウンロード開始から前記コンテンツデータの再生完了までに消費される総消費電力量として算定することを特徴とする再生装置。
【請求項３】
請求項１記載の再生装置であって、
前記消費電力量算出手段は、前記第１単位消費電力量にコンテンツデータの残り再生時間を乗じた電力量と、前記第２単位消費電力量に未ダウンロードのコンテンツデータのデータ量を乗じた電力量との和として得られる電力量を、現時点から前記コンテンツデータの再生完了までに消費される総消費電力量として算定することを特徴とする再生装置。
【請求項４】
請求項１、２または３記載の再生装置であって、
前記コンテンツデータのダウンロード速度を監視する監視手段を有し、
前記消費電力量算出手段は、前記監視手段が監視しているダウンロード速度が変化したならば、前記第２単位消費電力量を、前記ダウンロード速度の変化の割合と反比例する割合で変化させると共に、変化させた前記第２単位消費電力量を用いて前記総消費電力量を再算定することを特徴とする再生装置。
【請求項５】
請求項１、２、３または４記載の再生装置であって、
前記コンテンツデータは動画データであることを特徴とする再生装置。
【請求項６】
請求項１、２、３または４記載の再生装置であって、
前記コンテンツデータはオーディオデータであることを特徴とする再生装置。
【請求項７】
バッテリを電源として稼働し、配信されたコンテンツデータをダウンロードしながら、ダウンロードしたコンテンツデータの再生を行うプログレッシブダウンロード方式でコンテンツデータの再生を行う再生装置において、コンテンツデータの再生時の前記バッテリの総消費電力量を算定する消費電力量算定方法であって、
前記コンテンツデータの再生の開始後の第１の期間が経過したならば、その後の第２の期間、前記再生手段のコンテンツデータのダウンロードを停止し、第２の期間の経過後に前記ダウンロードを再開させるステップと、
前記バッテリの前記第１の期間の消費電力量である第１消費電力量と第２の期間の消費電力量である第２消費電力量を算定するステップと、
前記第２消費電力量を前記第２の期間の時間長で除した電力量を、前記コンテンツデータのダウンロードを行わずコンテンツデータの再生を行っているときの単位期間あたりのバッテリの消費電力量である第１単位消費電力量とし、前記第１単位消費電力量に前記第１の期間の時間長を乗じた値を、前記第１消費電力量から減じた電力量を、前記第１の期間にダウンロードしたコンテンツデータのデータ量で除した電力量を、前記コンテンツデータを単位データ量ダウンロードするのに要するバッテリの消費電力量である第２単位消費電力量として、前記コンテンツデータの再生時の前記バッテリの総消費電力量の算定を行うステップとを有することを特徴とする消費電力量算定方法。
【発明の詳細な説明】
【技術分野】
【０００１】
本発明は、ＡＶコンテンツの再生終了までの消費電力量を算定する技術に関するものである。
【背景技術】
【０００２】
オーディオコンテンツや動画コンテンツ等のＡＶコンテンツの再生終了時までの消費電力量を算定する技術としては、動画を所定時間、途中まで再生した時点で、その時点までの単位時間あたりの消費電力量を算出し、算出した単位時間あたりの消費電力量に動画の再生時間長を乗じて、動画の再生完了時までの消費電力量を算定する技術が知られている（たとえば、特許文献１）。
【先行技術文献】
【特許文献】
【０００３】
【特許文献１】特開２００５-２７８１９４号公報
【発明の概要】
【発明が解決しようとする課題】
【０００４】
インターネットなどのネットワークを介して、ダウンロードと再生が非同期に行われるプログレッシブダウンロード方式で配信されるＡＶコンテンツを再生する場合、ダウンロードが再生よりも前に完了して、ダウンロードが行われずに再生のみが行われる期間が発生するため、ＡＶコンテンツ再生期間中の単位時間当たりの消費電力量は一定とならない。
【０００５】
このため、上述した技術によって、ＡＶコンテンツを所定時間、途中まで再生した時点までの単位時間あたりの消費電力量に、ＡＶコンテンツの再生時間長を乗じてしても、ＡＶコンテンツの再生完了時までの消費電力量を正しく算定することはできない。
【０００６】
そこで、本発明は、プログレッシブダウンロード方式で配信されるＡＶコンテンツの再生時に、当該ＡＶコンテンツの再生完了時までの消費電力量をより正しく算定することを課題とする。
【課題を解決するための手段】
【０００７】
前記課題達成のために、本発明は、バッテリを電源として稼働し、プログレッシブダウンロード方式で配信されるコンテンツデータの再生を行う再生装置に、記憶装置と、前記バッテリの消費電力量を測定する測定手段と、配信されたコンテンツデータを前記記憶装置にダウンロードしながら、ダウンロードしたコンテンツデータの再生を行う再生手段と、コンテンツデータの再生時の前記バッテリの総消費電力量を算定する消費電力量算定手段とを備えたものである。ここで、前記消費電力量算出手段は、前記再生手段のコンテンツデータの再生の開始後の第１の期間が経過したならば、その後の第２の期間、前記再生手段のコンテンツデータのダウンロードを停止し、第２の期間の経過後に前記ダウンロードを再開させると共に、前記測定手段が測定した前記バッテリの消費電力量に基づいて、前記バッテリの前記第１の期間の消費電力量である第１消費電力量と第２の期間の消費電力量である第２消費電力量を算定し、前記第２消費電力量を前記第２の期間の時間長で除した電力量を、前記再生手段が前記コンテンツデータのダウンロードを行わずコンテンツデータの再生を行っているときの単位期間あたりのバッテリの消費電力量である第１単位消費電力量とし、前記第１単位消費電力量に前記第１の期間の時間長を乗じた値を、前記第１消費電力量から減じた電力量を、前記第１の期間にダウンロードしたコンテンツデータのデータ量で除した電力量を、前記コンテンツデータを単位データ量ダウンロードするのに要するバッテリの消費電力量である第２単位消費電力量として、前記コンテンツデータの再生時の前記バッテリの総消費電力量の算定を行う。
【０００８】
ここで、このような再生装置は、前記消費電力量算出手段において、前記第１単位消費電力量にコンテンツデータの総再生時間を乗じた電力量と、前記第２単位消費電力量にコンテンツデータの総データ量を乗じた電力量との和として得られる電力量を、前記コンテンツデータのダウンロード開始から前記コンテンツデータの再生完了までに消費される総消費電力量として算定するように構成してもよい。
【０００９】
または、このような再生装置は、前記消費電力量算出手段において、前記第１単位消費電力量にコンテンツデータの残り再生時間を乗じた電力量と、前記第２単位消費電力量に未ダウンロードのコンテンツデータのデータ量を乗じた電力量との和として得られる電力量を、現時点から前記コンテンツデータの再生完了までに消費される総消費電力量として算定するように構成してもよい。
【００１０】
また、以上の再生装置に、前記コンテンツデータのダウンロード速度を監視する監視手段を設け、前記消費電力量算出手段において、前記監視手段が監視しているダウンロード速度が変化したならば、前記第２単位消費電力量を、前記ダウンロード速度の変化の割合と反比例する割合で変化させると共に、変化させた前記第２単位消費電力量を用いて前記総消費電力量を再算定するようにしてもよい。
【００１１】
また、併せて、本発明は、バッテリを電源として稼働し、配信されたコンテンツデータをダウンロードしながら、ダウンロードしたコンテンツデータの再生を行うプログレッシブダウンロード方式でコンテンツデータの再生を行う再生装置において、コンテンツデータの再生時の前記バッテリの総消費電力量を算定する消費電力量算定方法として、前記コンテンツデータの再生の開始後の第１の期間が経過したならば、その後の第２の期間、前記再生手段のコンテンツデータのダウンロードを停止し、第２の期間の経過後に前記ダウンロードを再開させるステップと、前記バッテリの前記第１の期間の消費電力量である第１消費電力量と第２の期間の消費電力量である第２消費電力量を算定するステップと、前記第２消費電力量を前記第２の期間の時間長で除した電力量を、前記コンテンツデータのダウンロードを行わずコンテンツデータの再生を行っているときの単位期間あたりのバッテリの消費電力量である第１単位消費電力量とし、前記第１単位消費電力量に前記第１の期間の時間長を乗じた値を、前記第１消費電力量から減じた電力量を、前記第１の期間にダウンロードしたコンテンツデータのデータ量で除した電力量を、前記コンテンツデータを単位データ量ダウンロードするのに要するバッテリの消費電力量である第２単位消費電力量として、前記コンテンツデータの再生時の前記バッテリの総消費電力量の算定を行うステップとを備えた消費電力量算定方法も提供する。
【００１２】
ここで、前記コンテンツデータは、動画データであってもよく、オーディオデータであってもよい。
以上のような再生装置や消費電力量算定方法によれば、コンテンツデータのダウンロードを行わずコンテンツデータの再生を行っているときの単位期間あたりのバッテリの消費電力量と、コンテンツデータを単位データ量ダウンロードするのに要するバッテリの消費電力量とを別個に算定できるので、再生期間とダウンロード期間が一致しないプログレッシブダウンロード方式で配信されるコンテンツデータについても、再生時の消費電力量を正しく算定することができる。
【発明の効果】
【００１３】
以上のように、本発明によれば、プログレッシブダウンロード方式で配信されるＡＶコンテンツの再生時に、当該ＡＶコンテンツの再生完了時までの消費電力量をより正確に算定することができる。
【図面の簡単な説明】
【００１４】
【図１】本発明の実施形態に係る車載システムの構成を示す図である。
【図２】本発明の実施形態に係る配信動画再生消費電力量算定処理を示すフローチャートである。
【図３】本発明の実施形態に係る配信動画再生消費電力量算定処理の動作例を示す図である。
【発明を実施するための形態】
【００１５】
以下、本発明の実施形態を電気自動車に搭載される車載システムへの適用を例にとり説明する。
図１に、本実施形態に係る車載システムの構成を示す。
図示するように、車載システムは、ディスプレイ１、入力装置２、スピーカ３、スピーカ３に音声を出力する音声出力装置４、バッテリ管理装置５、移動通信装置６、ＧＰＳ受信機等のその他の周辺装置７、記憶装置８、ナビゲーション部９、メディアプレイヤ部１０、以上各部を制御する制御装置１１を備えている。
【００１６】
但し、車載システムは、ハードウエア的には、ＣＰＵやメモリなどを備えたコンピュータを用いて構成されるものであり、制御装置１１、ナビゲーション部９、メディアプレイヤ部１０、などは、当該コンピュータが、所定のコンピュータプログラムを実行することにより実現されるものである。
【００１７】
さて、上述のように車載システムは、自動車に搭載されるシステムであり、ディスプレイ１は自動車のダッシュボード上やクラスタ内に配置される。また、入力装置２は、ディスプレイ１の表示面上に配置されたタッチパネルや、リモートコントロール装置等である。
【００１８】
また、バッテリ管理装置５は、電気自動車や車載システムのエネルギー源である、電気自動車のバッテリの各時点における残容量や消費電力量を検出し、その推移の履歴と共に管理する。
【００１９】
また、移動通信装置６は、移動通信を行う装置であり、車載システムは、移動通信装置６を介してインターネットなどのＷＡＮに接続することができる。
また、ナビゲーション部９は、周辺装置７として備えたＧＰＳ受信機や記憶装置８に記憶されている地図データを用いた、現在位置の算出や、目的地までの経路の探索や、地図上に現在位置や目的地や目的地までの経路を表したナビゲーション画面のディスプレイ１への表示や、経路案内を行う案内音声の音声出力装置４からスピーカ３への出力などを、制御装置１１を介して行う。
【００２０】
また、メディアプレイヤ部１０は、移動通信装置６の移動通信を用いてアクセスしたＷＡＮ上のサーバが配信する動画データの受信や、受信した動画データの再生や、再生した音声の音声出力装置４からスピーカ３への出力や、再生した映像のディスプレイ１への表示などを、制御装置１１を介して行う。
【００２１】
ここで、サーバからの動画データの配信は、ストリーミング方式とプログレッシブダウンロード方式とのいずれかで行われる。
ストリーミング方式では、動画データの転送レートは動画データの再生レートに整合するレートに制御されており、動画データの再生時間長と動画データの転送時間長は、ほぼ等しくなる。そして、メディアプレイヤは、動画データのダウンロード開始直後から、動画データの再生期間中のほぼ全期間に渡って、動画データのダウンロードと再生とを並行して行う。
【００２２】
また、プログレッシブダウンロード方式では、通常、ストリーミング方式よりも高速に動画データが転送され、メディアプレイヤは、転送された動画データをファイルとして記憶装置８に記憶すると共に、動画データのダウンロードの完了を待たずに、記憶された動画データの再生を開始する。したがって、動画データのダウンロードは、動画データの再生完了前に完了し、動画データのダウンロード完了後は、再生のみが行われることとなる。
【００２３】
以下、このような構成において制御装置１１は、メディアプレイヤ部１０から必要な情報を取得しながら配信動画再生消費電力量算定処理を実行する。
図２に、この配信動画再生消費電力量算定処理の手順を示す。
図示するように、配信動画再生消費電力量算定処理において、制御装置１１は、メディアプレイヤ部１０でサーバから配信された動画データの再生が開始されたならば（ステップ２０２）、再生が開始された動画データがプログレッシブダウンロード方式で配信されているものであるかどうかを調べる（ステップ２０４）。
【００２４】
そして、動画データがプログレッシブダウンロード方式ではなく、ストーミング方式で配信されているものであれば（ステップ２０４）、所定時間の経過をまって（ステップ２０６）、バッテリ管理装置５が管理しているバッテリの消費電力量や残容量の履歴を参照して、当該所定時間の期間中の消費電力量を算定する（ステップ２０８）。
【００２５】
また、算定した消費電力量を前記所定時間で除して、動画データの再生とダウンロードを並行して行っているときの消費電力量を算出し、算出した単位時間あたりの消費電力量に動画データの再生時間長を乗じて、動画データの全体を再生するのに要する総消費電力量を算定する（ステップ２１０）。
【００２６】
そして、動画データの転送速度の変化等の通信状態の変化の発生（ステップ２１２）と、動画データの再生終了の発生（ステップ２１４）とを監視し、通信状態の変化が発生したならば（ステップ２１２）、ステップ２０６からの処理に戻り、動画データの再生が終了した場合には、ステップ２０２からの処理に戻る。
【００２７】
一方、再生が開始された動画データがプログレッシブダウンロード方式である場合には（ステップ２０４）、ダウンロード済みの動画データによって、今後、動画データの再生を継続可能な時間が所定のしきい値Th超となるのを待ち（ステップ２１６）、しきい値Th超となったならば、再生が開始されてからダウンロード済みの動画データのデータ量がしきい値Th超となった時点までの時間Ｔ１を算定すると共に、時間Ｔ１の期間中の消費電力量Ｐ１をバッテリ管理装置５が管理しているバッテリの消費電力量や残容量の履歴を参照して算出する（ステップ２１８）。
【００２８】
そして、次に、再生をそのまま継続しながら動画データのダウンロードのみを停止し（ステップ２２０）、所定時間Ｔ２の経過をまって（ステップ２２２）、バッテリ管理装置５が管理しているバッテリの消費電力量や残容量の履歴を参照して、当該所定時間Ｔ２の期間中の消費電力量Ｐ２を算出する（ステップ２２４）。なお、上述したしきい値Thは、当該所定時間Ｔ２が経過する前に、未再生のダウンロード済みの動画データが無くなって再生ができなくならないように、所定時間Ｔ２超の時間とする。
【００２９】
そして、ダウンロードを再開し（ステップ２２６）、動画データの再生開始から動画データの全体の再生完了までの総消費電力量を算定する（ステップ２２８）。
ここで、ステップ２２８における総消費電力量の算定は、次のように行う。
すなわち、所定時間Ｔ２の期間中に動画データの再生に消費された電力量Ｐ２を、当該所定時間Ｔ２で除して動画データの再生のみを行っているときに単位時間あたりに消費される電力量ΔＰ２を算定する。
【００３０】
また、電力量ΔＰ２に、再生が開始されてからダウンロード済のデータ量がしきい値Th超となるまでに要した時間Ｔ１を乗じた電力量を、時間Ｔ１の期間中の消費電力量Ｐ１から差し引いた電力量を、時間Ｔ１の期間中にダウンロードに消費された電力量Ｐ３として求める。
【００３１】
そして、電力量Ｐ３を時間Ｔ１の期間中にダウンロードした動画データ量で除して単位データ量あたりの動画データのダウンロードに消費された電力量ΔＰ３を算定する。
そして、単動画データの再生のみを行っているときに単位時間あたりに消費される電力量ΔＰ２に動画データの総再生時間を乗じた電力量と、単位データ量あたりの動画データのダウンロードに消費された電力量ΔＰ３に動画データの総データ量を乗じた電力量との和を、動画データの再生開始から動画データの全体の再生完了までの総消費電力量として算定する。
【００３２】
次に、総消費電力量動画データの転送速度の変化等の通信状態の変化の発生（ステップ２３０）と、動画データの再生終了の発生（ステップ２３２）とを監視し、通信状態の変化が発生したならば（ステップ２３０）、ステップ２１６からの処理に戻り、動画データの再生が終了した場合には、ステップ２０２からの処理に戻る。
【００３３】
ここで、図３に、このような配信動画再生消費電力量算定処理の処理例を示す。
図示するように、プログレッシブダウンロード方式で配信される、総再生時間がＴの動画データのダウンロードが時刻ｔ０で開始され、その後、動画データの全体のｖ１％がダウンロードされた時刻t1で動画データの再生が開始されたものとする。
【００３４】
そして、その後、動画データの全体のｖ２％がダウンロードされた時刻ｔ２で、ダウンロード済の動画データで、今後、動画データの再生を継続可能な時間がしきい値Th超となると、ダウンロードが停止され、ダウンロード済の動画データの再生のみが、時刻ｔ３までの所定時間Ｔ２行われる。
【００３５】
そして、その後、時刻ｔ３からダウンロードが再開され、時刻ｔ４で動画データの１００％のダウンロードが完了すると、ダウンロードは完了する。また、その後、動画データの再生が開始された時刻ｔ１から時間Ｔが経過した時刻ｔ５で動画データの再生が完了する。
【００３６】
この場合、配信動画再生消費電力量算定処理では、時刻ｔ１から時刻ｔ２までのダウンロードと再生が並行して行われている時間Ｔ１の消費電力量Ｐ１と、時刻ｔ２から時刻ｔ３までの再生のみが行われている時間Ｔ２の消費電力量Ｐ２とが算定される
そして、消費電力量Ｐ２を時間Ｔ２で除した電力量Ｐ２／Ｔ２が、単位時間あたりに動画データの再生のみを行ったときに消費される電力量ΔＰ２として算定される。
【００３７】
そして、電力量ΔＰ２に時間Ｔ１を乗じた電力量を、時間Ｔ１の消費電力量Ｐ１から減じた電力量Ｐ１-（ΔＰ２×Ｔ１）を、時間Ｔ１にダウンロードに消費された消費電力量Ｐ３として算定する。また、消費電力量Ｐ３を、時間Ｔ１にダウンロードした動画データのデータ量のパーセント（ｖ２％-ｖ１％）の数値（ｖ２-ｖ１）で除した電力量Ｐ３／（ｖ２-ｖ１）を、動画データを１％ダウンロードするのに要する電力量ΔＰ３をして算定する。
【００３８】
そして、電力量ΔＰ２に動画データの総再生時間Ｔを乗じた電力量と、電力量ΔＰ３に動画データの総データ量１００％の数値１００を乗じた電力量との和（ΔＰ２×Ｔ）＋（ΔＰ３×１００）を、動画データの再生開始から動画データの全体の再生完了までの総消費電力量として算定する。
【００３９】
以上、制御装置１１が行う配信動画再生消費電力量算定処理について説明した。
ここで、以上の配信動画再生消費電力量算定処理では、ステップ２２８で、動画データの再生開始から動画データの全体の再生完了までの総消費電力量として算定したが、ステップ２２８では、現時点から動画データの全体の再生完了までの総消費電力量を算定するようにしてもよい。すなわち、この場合には、電力量ΔＰ２に動画データの残り再生時間ＴＲを乗じた電力量と、電力量ΔＰ３に動画データの未ダウンロードのデータ量のパーセントＤＲ％の数値ＤＲを乗じた電力量との和（ΔＰ２×ＴＲ）＋（ΔＰ３×ＤＲ）を、現時点から動画データの全体の再生完了までの総消費電力量として算定する。
【００４０】
さて、制御装置１１は、このような配信動画再生消費電力量算定処理で算定した動画再生開始時点や現時点から動画データの全体の再生完了までの総消費電力量を用いて、将来のバッテリの残容量の推移を推定し、ナビゲーション部９に目的地や経由地として設定されている電気自動車の充電可能地点に到達するのにバッテリの残容量が不足する場合には、警告を出力したり、近隣の充電スタンドをナビゲーション部９にユーザに対して案内させたり、動画のダウンロード及び再生を強制的に終了する処理等も行う。
【００４１】
以上、本発明の実施形態について説明した。
以上のように、本実施形態によれば、動画データのダウンロードを行わず動画データの再生を行っているときの単位期間あたりのバッテリの消費電力量と、動画データを単位データ量ダウンロードするのに要するバッテリの消費電力量とを別個に算定できるので、再生期間とダウンロード期間が一致しないプログレッシブダウンロード方式で配信される動画データについても、再生時の消費電力量を正しく算定することができる。
【００４２】
ところで、以上の実施形態は、車載システムに複数のディスプレイ１を備え、配信された２つの動画データの再生を異なるディスプレイ１を用いて行う場合にも、各動画データについて上述した配信動画再生消費電力量算定処理を行って、総消費電力量を算出した上で、その和を、全体の総消費電力量とすることにより、同様に適用することができる。
【００４３】
また、以上の実施形態は、動画データに変えて、オーディオデータ等の配信された他のコンテンツデータを再生する場合についても同様に適用することができる。
また、以上の実施形態では、動画データの転送速度の変化等の通信状態の変化が発生したならば、消費電力量Ｐ１、Ｐ２を算出し直して総消費電力量を算出しなおすようにしたが、これは、ダウンロードに要する消費電力量が近似的には動画データの転送速度に反比例（動画データの転送時間に比例）して変化するので、簡易的に、動画データの転送速度の変化に伴う動画データのダウンロードに要する時間の変化分だけ、動画データを１％ダウンロードするのに要する電力量ΔＰ３が変化するものと見なして、総消費電力量を算出しなおすようにしてもよい。すなわち、たとえば、動画データの転送速度が１／２に変化したならば、電力量ΔＰ３が２倍になるものとして、総消費電力量を算出しなおすようにしてもよい。なお、この総消費電力量の算出の際には、通信状態の変化が生じても単位時間あたりに動画データの再生のみを行ったときに消費される電力量ΔＰ２は変化しないので、電力量ΔＰ２は前回の算出時と同じものを用いる。
【００４４】
また、以上の配信動画再生消費電力量算定処理は、電力量ΔＰ２、電力量ΔＰ３を算出した後に、ナビゲーション部９に今後電気自動車が進行すべき経路が設定されており、当該経路を進行すると、トンネルなどの移動通信が不可となる区間を、動画データのダウンロード完了前に進行することになるときかどうかを調べ、動画データのダウンロード完了前に進行することになる場合には、当該区間の所要走行時間分、動画データのダウンロードに要する時間が長くなって、動画データを１％ダウンロードするのに要する電力量ΔＰ３が変化するものと見なして、総消費電力量を算出しなおすようにしてもよい。すなわち、たとえば、動画データのダウンロードに要する時間が２倍に変化したならば、電力量ΔＰ３を２倍に変化させた上で、総消費電力量を算出するようにしてもよい。
【００４５】
また、以上の実施形態は、車載システムに限らず、バッテリで駆動し、配信される動画データの再生を行う任意の装置、たとえば、配信される動画データの再生を行う機能を備えたスマートフォンやタブレットなどに同様に適用することができる。
【符号の説明】
【００４６】
１…ディスプレイ、２…入力装置、３…スピーカ、４…音声出力装置、５…バッテリ管理装置、６…移動通信装置、７…周辺装置、８…記憶装置、９…ナビゲーション部、１０…メディアプレイヤ部、１１…制御装置。
【図１】
2020077900.tif 000003
【図２】
2020077900.tif 000004
【図３】
2020077900.tif 000005